(57)【要約】      （修正有）【課題】単にキートップを垂直方向にパンタグラフ構造に押すだけの一つのステップで装着が完成され、従来のように、キートップを傾いてパンタグラフ構造に装着するステップが必要なくなるキースイッチ及びキーボードを提供する。【解決手段】キースイッチであって、少なくとも摺動軸を有する第１リンクを含むパンタグラフ構造と、キートップであって、前記摺動軸を摺動的に保持する摺動保持部と、前記摺動軸が前記摺動保持部から脱落するのを防止する脱落防止部とを含むキートップとを備え、前記摺動保持部と前記脱落防止部の間に装入口が形成され、前記摺動軸が前記装入口を通って前記摺動保持部に入り、前記装入口によって前記摺動軸が係合される。【選択図】図２Ａ
0003168690.tif 000002
【実用新案登録請求の範囲】
【請求項１】
キースイッチであって、少なくとも
摺動軸を有する第１リンクを含むパンタグラフ構造と、
キートップであって、前記摺動軸を摺動的に保持する摺動保持部と、前記摺動軸が前記摺動保持部から脱落するのを防止する脱落防止部とを含むキートップとを備え、
前記摺動保持部と前記脱落防止部の間に装入口が形成され、前記摺動軸が前記装入口を通って前記摺動保持部に入り、前記装入口によって前記摺動軸が係合されるキースイッチ。
【請求項２】
前記キースイッチが最下位に押されたとき、前記摺動軸が前記装入口に対向になり、前記摺動軸の大部分が前記摺動保持部の外に位置する請求項１に記載のキースイッチ。
【請求項３】
前記摺動保持部は前記装入口に第１ガイド斜面を有し、前記脱落防止部は前記装入口に第２ガイド斜面を有し、前記摺動軸が前記装入口を通るとき、前記第１ガイド斜面と前記第２ガイド斜面によってガイドされる請求項１に記載のキースイッチ。
【請求項４】
前記脱落防止部はフックを有し、前記装入口が前記摺動保持部と前記フックの間に形成され、前記第２ガイド斜面が前記フック上に位置する請求項３に記載のキースイッチ。
【請求項５】
前記摺動軸の直径と前記装入口の寸法の比は１．４〜１．５である請求項１に記載のキースイッチ。
【請求項６】
前記パンタグラフ構造はさらに回動軸を有する第２リンクを含み、前記キートップはさらに前記回動軸を保持する回動保持部を含む請求項１に記載のキースイッチ。
【請求項７】
キーボードであって、少なくとも
基板と、
前記基板に設置され、少なくとも
摺動軸を有する第１リンクを含むパンタグラフ構造と、
キートップであって、前記摺動軸を摺動的に保持する摺動保持部と、前記摺動軸が前記摺動保持部から脱落するのを防止する脱落防止部とを含むキートップとを備え、
前記摺動保持部と前記脱落防止部の間に装入口が形成され、前記摺動軸が前記装入口を通って前記摺動保持部に入り、前記装入口によって前記摺動軸が係合されるキースイッチと、を備えるキーボード。
【請求項８】
前記キースイッチが最下位に押されたとき、前記摺動軸が前記装入口に対向になり、前記摺動軸の大部分が前記摺動保持部の外に位置する請求項７に記載のキーボード。
【請求項９】
前記摺動保持部は前記装入口に第１ガイド斜面を有し、前記脱落防止部は前記装入口に第２ガイド斜面を有し、前記摺動軸が前記装入口を通るとき、前記第１ガイド斜面と前記第２ガイド斜面によってガイドされる請求項７に記載のキーボード。
【請求項１０】
前記脱落防止部はフックを有し、前記装入口が前記摺動保持部と前記フックの間に形成され、前記第２ガイド斜面が前記フック上に位置する請求項９に記載のキーボード。
【請求項１１】
前記摺動軸の直径と前記装入口の寸法の比は１．４〜１．５である請求項７に記載のキーボード。
【請求項１２】
前記パンタグラフ構造はさらに回動軸を有する第２リンクを含み、前記キートップはさらに前記回動軸を保持する回動保持部を含む請求項７に記載のキーボード。
【考案の詳細な説明】
【技術分野】
【０００１】
本考案は、キースイッチ及びキーボードに関する。
【背景技術】
【０００２】
従来のキーボードは、キートップの底部から下に延伸する柱体が台座の開口部に垂直に往復移動して、キーボードの電気接点を作動する。このような構造に制限されるため、キートップの柱体と台座の接触面積が小さ過ぎると、操作上、キートップが傾き、不発など不安定の状態が起こりやすいので、キートップを安定させるためには、接触面積を増やす必要がある。また、従来のキートップは、台座に垂直に往復移動するので、確り定着するのが難しく、不安定の状況が続き、操作上の騒音も大きい。
【０００３】
また、小さくなりつつあるパソコン（例えばノートパソコン）が重視されるに伴い、キートップの垂直移動の安定性を確保するためにキートップと台座の間の距離を増やすと、キーボード全体の厚みが増え、薄くて小さくする要求に対応できなくなる。
【０００４】
このため、ダブルリンク構造（即ちパンタグラフ構造）からなるキースイッチによるキーボードが用いられ、移動方向が垂直になるようにキートップがガイドされ、力を均等に各キースイッチに印加させる。これによって、キートップのサイドやコーナーを押しても、力が均等にキートップに分散され、楽に最下位までキースイッチを押すことができ、操作しやすく、前記垂直柱体のキートップの欠点が解決される。
【０００５】
しかし、キートップをパンタグラフ構造に装着するには、通常手作業で装着する必要があり、手作業で装着する場合、少なくともキートップを傾いてパンタグラフ構造の摺動軸に係合するステップと、キートップを回動軸に係合するステップと、二つのステップが必要であるので、有効に装着速度を上げられない他、装着漏れの恐れもある。また、装着のための力加減のコントロールが難しいので、装着中、キースイッチのキートップやパンタグラフ構造が破損される恐れがある。
【考案の概要】
【考案が解決しようとする課題】
【０００６】
前記問題を解決するために、本考案は、キーボードに関し、具体的にキートップをパンタグラフ構造の摺動軸に連結する構造の改良に関するものを提供することを課題とする。キートップを摺動保持部と脱落防止部の間の装入口で垂直に摺動軸に向かって押すとき、摺動保持部と脱落防止部の弾性変形によって摺動軸が装入口を通り、摺動保持部に連結される。これによって、本考案においては、単にキートップを垂直方向にパンタグラフ構造に押すだけの一つのステップで装着が完成され、従来のように、キートップを傾いてパンタグラフ構造に装着するステップが必要なくなる。
【課題を解決するための手段】
【０００７】
前記課題を達成するために、本考案は、キースイッチであって、少なくとも摺動軸を有する第１リンクを含むパンタグラフ構造と、キートップであって、前記摺動軸を摺動的に保持する摺動保持部と、前記摺動軸が前記摺動保持部から脱落するのを防止する脱落防止部とを含むキートップとを備え、前記摺動保持部と前記脱落防止部の間に装入口が形成され、前記摺動軸が前記装入口を通って前記摺動保持部に入り、前記装入口によって前記摺動軸が係合されるキースイッチを提供する。
【０００８】
また、本考案は、キーボードであって、少なくとも基板と、前記基板に設置され、少なくとも摺動軸を有する第１リンクを含むパンタグラフ構造と、キートップであって、前記摺動軸を摺動的に保持する摺動保持部と、前記摺動軸が前記摺動保持部から脱落するのを防止する脱落防止部とを含むキートップとを備え、前記摺動保持部と前記脱落防止部の間に装入口が形成され、前記摺動軸が前記装入口を通って前記摺動保持部に入り、前記装入口によって前記摺動軸が係合されるキースイッチと、を備えるキーボードを提供する。
【図面の簡単な説明】
【０００９】
下記図面の簡単な説明は、本考案の前記または他の目的、特徴、メリット、実施形態をより分かりやすくするためのものである。
【図１】本考案の実施形態に係るキーボードの立体図。
【図２Ａ】キートップが押されていない状態における図１に示すキーボードに用いられるキースイッチの側面図。
【図２Ｂ】キートップが最下位まで押されている状態における図１に示すキーボードに用いられるキースイッチの側面図。
【図３】図２Ａに示すキートップの一部の拡大図。
【考案を実施するための形態】
【００１０】
本考案は、キーボードに関し、具体的にはキートップをパンタグラフ構造の摺動軸に連結する構造の改良に関するものである。キートップを摺動保持部と脱落防止部の間の装入口で垂直に摺動軸に向かって押すとき、摺動保持部と脱落防止部の弾性変形によって摺動軸が装入口を通り、摺動保持部に連結される。これによって、本考案においては、単にキートップを垂直方向にパンタグラフ構造に押すだけの一つのステップで装着が完成され、従来のように、キートップを傾いてパンタグラフ構造に装着するステップが必要なくなる。
【００１１】
図１は、本考案の実施形態に係るキーボードの立体図である。
図１に示すように、本考案に係るキーボードはＰＳ２やＵＳＢインタフェースなどを介してデスクトップ型パソコンに使われる外付けキーボードであってよく、または、コンピュータシステム（例えば、ノートパソコンやモバイルパソコン）に含まれるキーボード形態の入力装置であってもよいが、これに制限されない。つまり、本考案に係るキーボード１は、キースイッチを入力インタフェースとするいかなる電子製品に応用することができ、特にパンタグラフ構造を用いて構造を支えるキースイッチに応用すれば、キースイッチを装着する工程において発生する問題が本考案の創作概念によって解決される。
【００１２】
図１に示すように、本考案に係るキーボードは、基板１０と、基板１０に設けられる複数のキースイッチ１２とを含む。以下、キースイッチ１２の構成要素について、詳しく説明する。
【００１３】
図２Ａは、キートップが押されていない状態における図１に示すキーボードに用いられるキースイッチの側面図であり、図２Ｂは、キートップが最下位まで押されている状態における図１に示すキーボードに用いられるキースイッチの側面図である。
【００１４】
図２Ａ及び図２Ｂに示すように、キースイッチ１２はパンタグラフ構造１２０と、キートップ１２２とを含む。パンタグラフ構造１２０は、軸１２０ｅによって連結される第１リンク１２０ａと、第２リンク１２０ｂを有する。キーボード１の基板１０は、さらに回動軸保持部１００ａと、摺動軸保持部１００ｂを有する。パンタグラフ構造１２０の第１リンク１２０ａは、基板１０に寄る一端に基板１０の回動軸保持部１００ａに連結するための回動軸１２０ｆを有し、パンタグラフ構造１２０の第２リンク１２０ｂは、基板１０に寄る一端に基板１０の摺動軸保持部１００ｂに制限されながら摺動的に連結するための摺動軸１２０ｇを有する。これによって、キースイッチ１２のパンタグラフ構造１２０が基板１０に設置される。
【００１５】
図２Ａ及び図２Ｂに示すように、本実施形態において、パンタグラフ構造１２０の第１リンク１２０ａの他端は摺動軸１２０ｃを有し、第２リンク１２０ｂの他端は回動軸１２０ｄを有する。キースイッチ１２のキートップ１２２は、摺動保持部１２２ａと、脱落防止部１２２ｂ、と回動保持部１２２ｇ有する。第１リンク１２０ａの摺動軸１２０ｃは摺動的にキートップ１２２の摺動保持部１２２ａに保持される。キートップ１２２の脱落防止部１２２ｂは第１リンク１２０ａの摺動軸１２０ｃが摺動保持部１２２ａから脱落するのを防止する。第２リンク１２０ｂの回動軸１２０ｄはキートップ１２２の回動保持部１２２ｇに連結される。前記基板１０、パンタグラフ構造１２０、及びキートップ１２２の連結によって、キースイッチ１２のキートップ１２２が押されるとき、キースイッチ１２のキートップ１２２が図２Ａに示す押されていない位置と図２Ｂに示す最下位まで押されている位置の間往復移動する。
【００１６】
また、本実施形態において、キースイッチ１２はさらにドーム１２４を含む。ドーム１２４は、ゴムのような軟質の材料からなる。これによって、キースイッチ１２のドーム１２４がキートップ１２２による押圧によって変形されて基板１０に接触し、基板１０に設けられた開路のスイッチを閉路にする。
【００１７】
同図２Ａと同図２Ｂに示すように、キートップ１２２の摺動保持部１２２ａの末端と脱落防止部１２２ｂの末端の間に装入口１２２ｃが形成される。キートップ１２２がパンタグラフ構造に装着されるとき、第１リンク１２０ａの摺動軸１２０ｃが装入口１２２ｃを通して摺動保持部１２２ａに連結される。また、第１リンク１２０ａの摺動軸１２０ｃの直径が装入口１２２ｃの寸法より大きく設定しているので、装入口１２２ｃによって第１リンク１２０ａの摺動軸１２０ｃが係合される。
【００１８】
第１リンク１２０ａの摺動軸１２０ｃの直径は０．７〜０．７５ｍｍであってよく、装入口の寸法は０．５ｍｍであってよい。これによって、第１リンク１２０ａの摺動軸１２０ｃの直径と装入口の寸法の比は１．４〜１．５になるが、これに制限されない。設計や製造に応じて適当に調節することができる。
【００１９】
これによって、本実施形態において、キートップ１２２をパンタグラフ構造１２０に装着するとき、第１リンク１２０ａの摺動軸１２０ｃが同時に装入口１２２ｃ両側の摺動保持部１２２ａの末端と脱落防止部１２２ｂの末端を押さえ、摺動保持部１２２ａの末端と脱落防止部１２２ｂの末端を弾性変形させて、第１リンク１２０ａの摺動軸１２０ｃが通るように装入口１２２ｃを拡大させる。そして、第１リンク１２０ａの摺動軸１２０ｃが装入口１２２ｃを通して摺動保持部１２２ａに連結するようになる。
【００２０】
なお、キートップ１２２の材料は特に制限されなく、摺動保持部１２２ａと脱落防止部１２２ｂが第１リンク１２０ａの摺動軸１２０ｃに押されるときに、必要な変形量を提供できる材料であれば、いかなる材料であってもよい。
【００２１】
図２Ｂに示すように、この実施形態において、キースイッチ１２が最下位に押されたとき、第１リンク１２０ａの摺動軸１２０ｃはちょうど摺動保持部１２２ａと脱落防止部１２２ｂの間に形成される装入口１２２ｃに対向する位置になる。即ち、キートップ１２２をパンタグラフ構造１２０に装着するとき、キースイッチ１２のキートップ１２２を垂直に最下位までパンタグラフ構造１２０に押すだけで、第２リンク１２０ｂの回動軸１２０ｄがキートップ１２２の回動保持部１２２ｇに連結され、同時に、第１リンク１２０ａの摺動軸１２０ｃが押圧によって装入口１２２ｃを通り、キートップ１２２の摺動保持部１２２ａに連結される。また、図２Ｂに示すように、キースイッチ１２が最下位に押されたとき、第１リンク１２０ａの摺動軸１２０ｃの大部分が摺動保持部１２２ａの外に位置するが、キートップ１２２の脱落防止部１２２ｂの設置によって、摺動軸１２０ｃが摺動保持部１２２ａから脱落する心配はない。したがって、従来技術よりも、本実施形態に係るキートップ１２２は、摺動保持部１２２ａの強度を向上するように、短い摺動保持部１２２ａが採用されており、キートップ１２２をパンタグラフ構造１２０に装着する工程において、キートップ１２２やパンタグラフ構造１２０の損傷を抑えることができる。
【００２２】
図３は、図２Ａに示すキートップの一部の拡大図である。
図３に示すように、本実施形態において、キートップ１２２をパンタグラフ構造１２０に装着する工程をさらにスムースに進行するために、キートップ１２２の摺動保持部１２２ａの装入口１２２ｃに寄る箇所に第１ガイド斜面１２２ｄが形成され、同様に、キートップ１２２の脱落防止部１２２ｂの装入口１２２ｃに寄る箇所に第２ガイド斜面１２２ｆが形成される。これによって、第１リンク１２０ａの摺動軸１２０ｃが装入口１２２ｃを通るときに、摺動保持部１２２ａの第１ガイド斜面１２２ｄと脱落防止部１２２ｂの第２ガイド斜面１２２ｆによってガイドされ、摺動軸１２０ｃと摺動保持部１２２ａ及び脱落防止部１２２ｂの間の摩擦力が低減され、摺動軸１２０ｃ、摺動保持部１２２ａ、及び脱落防止部１２２ｂの損傷が抑える。
【００２３】
同図３に示すように、本実施形態において、キートップ１２２の脱落防止部１２２ｂは、さらにフック１２２ｅを含む。つまり、装入口１２２ｃがキートップ１２２の摺動保持部１２２ａと脱落防止部１２２ｂのフック１２２ｅの間に形成され、第２ガイド斜面１２２fがフック１２２ｅ上に形成されている。脱落防止部１２２ｂのフック１２２ｅの構造により、さらに第１リンク１２０ａの摺動軸１２０ｃがキートップ１２２の摺動保持部１２２ａから離れることが防止され、装入口１２２ｃから脱落することが防止される。
【符号の説明】
【００２４】
１：キーボード
１０：基板
１００ａ：回動軸保持部
１００ｂ：摺動軸保持部
１２：キースイッチ
１２０：パンタグラフ構造
１２０ａ：第１リンク
１２０ｂ：第２リンク
１２０ｃ、１２０ｇ：摺動軸
１２０ｄ、１２０ｆ：回動軸
１２０ｅ：軸
１２２：キートップ
１２２ａ：摺動保持部
１２２ｂ：脱落防止部
１２２ｃ：装入口
１２２ｄ：第１ガイド斜面
１２２ｅ：フック
１２２ｆ：第２ガイド斜面
１２２ｇ：回動保持部
１２４：ドーム
【図１】
0003168690.tif 000003
【図２Ａ】
0003168690.tif 000004
【図２Ｂ】
0003168690.tif 000005
【図３】
0003168690.tif 000006